【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
被冷却流体と冷媒との間で熱交換を行う冷媒蒸発器（１）であって、
前記冷媒が内部を流れ、前記被冷却流体と前記冷媒との間で熱交換を行う第１熱交換部（１２）と、
前記第１熱交換部に対向して配置されるとともに、前記冷媒が内部を流れ、前記被冷却流体と前記冷媒との間で熱交換を行う第２熱交換部（２２）と、
前記第１熱交換部の下方に配置され、前記第１熱交換部に前記冷媒を分配する第１タンク（１３）と、
前記第２熱交換部の下方に配置され、前記第２熱交換部を流れる前記冷媒を集める第２タンク（２３）と、
ろう付けにより前記第１タンク及び前記第２タンクに接合され、前記第２タンクに集められた前記冷媒を前記第１タンクに導く第３タンク（３０）と、を備え、
前記第１タンク及び前記第３タンクの接合部（１３３，３０４）の一方には、突出部（３１０〜３１２）が形成され、
前記第１タンク及び前記第３タンクの接合部の他方には、前記突出部が挿入される挿入部（１３４〜１３６）が形成され、
前記突出部の外面と前記挿入部の内面とがろう付けされており、
当該ろう付け箇所が複数形成され、
前記第１タンクと前記第３タンクとの間、又は前記第２タンクと前記第３タンクとの間には、排水溝（１３７，２３７，３２０，３２１）が少なくとも１箇所以上形成され、
前記排水溝により複数の前記ろう付け箇所が分断されている
冷媒蒸発器。
【請求項２】
被冷却流体と冷媒との間で熱交換を行う冷媒蒸発器（１）であって、
前記冷媒が内部を流れ、前記被冷却流体と前記冷媒との間で熱交換を行う第１熱交換部（１２）と、
前記第１熱交換部に対向して配置されるとともに、前記冷媒が内部を流れ、前記被冷却流体と前記冷媒との間で熱交換を行う第２熱交換部（２２）と、
前記第１熱交換部の下方に配置され、前記第１熱交換部に前記冷媒を分配する第１タンク（１３）と、
前記第２熱交換部の下方に配置され、前記第２熱交換部を流れる前記冷媒を集める第２タンク（２３）と、
ろう付けにより前記第１タンク及び前記第２タンクに接合され、前記第２タンクに集められた前記冷媒を前記第１タンクに導く第３タンク（３０）と、を備え、
前記第２タンク及び前記第３タンクの接合部（２３３，３０５）の一方には、突出部（３１３〜３１５）が形成され、
前記第２タンク及び前記第３タンクの接合部の他方には、前記突出部が挿入される挿入部（２３４〜２３６）が形成され、
前記突出部の外面と前記挿入部の内面とがろう付けされており、
当該ろう付け箇所が複数形成され、
前記第１タンクと前記第３タンクとの間、又は前記第２タンクと前記第３タンクとの間には、排水溝（１３７，２３７，３２０，３２１）が少なくとも１箇所以上形成され、
前記排水溝により複数の前記ろう付け箇所が分断されている
冷媒蒸発器。
【請求項３】
被冷却流体と冷媒との間で熱交換を行う冷媒蒸発器（１）であって、
前記冷媒が内部を流れ、前記被冷却流体と前記冷媒との間で熱交換を行う第１熱交換部（１２）と、
前記第１熱交換部に対向して配置されるとともに、前記冷媒が内部を流れ、前記被冷却流体と前記冷媒との間で熱交換を行う第２熱交換部（２２）と、
前記第１熱交換部の下方に配置され、前記第１熱交換部に前記冷媒を分配する第１タンク（１３）と、
前記第２熱交換部の下方に配置され、前記第２熱交換部を流れる前記冷媒を集める第２タンク（２３）と、
ろう付けにより前記第１タンク及び前記第２タンクに接合され、前記第２タンクに集められた前記冷媒を前記第１タンクに導く第３タンク（３０）と、を備え、
前記第１タンク及び前記第３タンクの接合部（１３３，３０４）の一方には、突出部（３１０〜３１２）が形成され、
前記第１タンク及び前記第３タンクの接合部の他方には、前記突出部が挿入される挿入部（１３４〜１３６）が形成され、
前記挿入部及び前記突出部には、前記冷媒の流路がそれぞれ形成され、
前記突出部には、前記冷媒の流路を構成する単数又は複数の貫通孔が形成され、
前記突出部が複数形成され、
複数の前記突出部の少なくとも１つに形成される前記貫通孔の個数は、他の前記突出部に形成される前記貫通孔の個数と異なっている
冷媒蒸発器。
【請求項４】
被冷却流体と冷媒との間で熱交換を行う冷媒蒸発器（１）であって、
前記冷媒が内部を流れ、前記被冷却流体と前記冷媒との間で熱交換を行う第１熱交換部（１２）と、
前記第１熱交換部に対向して配置されるとともに、前記冷媒が内部を流れ、前記被冷却流体と前記冷媒との間で熱交換を行う第２熱交換部（２２）と、
前記第１熱交換部の下方に配置され、前記第１熱交換部に前記冷媒を分配する第１タンク（１３）と、
前記第２熱交換部の下方に配置され、前記第２熱交換部を流れる前記冷媒を集める第２タンク（２３）と、
ろう付けにより前記第１タンク及び前記第２タンクに接合され、前記第２タンクに集められた前記冷媒を前記第１タンクに導く第３タンク（３０）と、を備え、
前記第２タンク及び前記第３タンクの接合部（２３３，３０５）の一方には、突出部（３１３〜３１５）が形成され、
前記第２タンク及び前記第３タンクの接合部の他方には、前記突出部が挿入される挿入部（２３４〜２３６）が形成され、
前記挿入部及び前記突出部には、前記冷媒の流路がそれぞれ形成され、
前記突出部には、前記冷媒の流路を構成する単数又は複数の貫通孔が形成され、
前記突出部が複数形成され、
複数の前記突出部の少なくとも１つに形成される前記貫通孔の個数は、他の前記突出部に形成される前記貫通孔の個数と異なっている
冷媒蒸発器。
【請求項５】
被冷却流体と冷媒との間で熱交換を行う冷媒蒸発器（１）であって、
前記冷媒が内部を流れ、前記被冷却流体と前記冷媒との間で熱交換を行う第１熱交換部（１２）と、
前記第１熱交換部に対向して配置されるとともに、前記冷媒が内部を流れ、前記被冷却流体と前記冷媒との間で熱交換を行う第２熱交換部（２２）と、
前記第１熱交換部の下方に配置され、前記第１熱交換部に前記冷媒を分配する第１タンク（１３）と、
前記第２熱交換部の下方に配置され、前記第２熱交換部を流れる前記冷媒を集める第２タンク（２３）と、
ろう付けにより前記第１タンク及び前記第２タンクに接合され、前記第２タンクに集められた前記冷媒を前記第１タンクに導く第３タンク（３０）と、を備え、
前記第１タンク及び前記第３タンクの接合部（１３３，３０４）の一方には、突出部（３１０〜３１２）が形成され、
前記第１タンク及び前記第３タンクの接合部の他方には、前記突出部が挿入される挿入部（１３４〜１３６）が形成され、
前記挿入部及び前記突出部には、前記冷媒の流路がそれぞれ形成され、
前記突出部には、前記冷媒の流路を構成する単数又は複数の貫通孔が形成され、
前記突出部が複数形成され、
複数の前記突出部の少なくとも１つに形成される前記貫通孔の総断面積は、他の前記突出部に形成される前記貫通孔の総断面積と異なっている
冷媒蒸発器。
【請求項６】
被冷却流体と冷媒との間で熱交換を行う冷媒蒸発器（１）であって、
前記冷媒が内部を流れ、前記被冷却流体と前記冷媒との間で熱交換を行う第１熱交換部（１２）と、
前記第１熱交換部に対向して配置されるとともに、前記冷媒が内部を流れ、前記被冷却流体と前記冷媒との間で熱交換を行う第２熱交換部（２２）と、
前記第１熱交換部の下方に配置され、前記第１熱交換部に前記冷媒を分配する第１タンク（１３）と、
前記第２熱交換部の下方に配置され、前記第２熱交換部を流れる前記冷媒を集める第２タンク（２３）と、
ろう付けにより前記第１タンク及び前記第２タンクに接合され、前記第２タンクに集められた前記冷媒を前記第１タンクに導く第３タンク（３０）と、を備え、
前記第２タンク及び前記第３タンクの接合部（２３３，３０５）の一方には、突出部（３１３〜３１５）が形成され、
前記第２タンク及び前記第３タンクの接合部の他方には、前記突出部が挿入される挿入部（２３４〜２３６）が形成され、
前記挿入部及び前記突出部には、前記冷媒の流路がそれぞれ形成され、
前記突出部には、前記冷媒の流路を構成する単数又は複数の貫通孔が形成され、
前記突出部が複数形成され、
複数の前記突出部の少なくとも１つに形成される前記貫通孔の総断面積は、他の前記突出部に形成される前記貫通孔の総断面積と異なっている
冷媒蒸発器。
【請求項７】
前記挿入部の内面には、前記突出部の外面に接触する突起部（１３４ａ，１３５ａ，１３６ａ）が形成されている
請求項１又は２に記載の冷媒蒸発器。
【請求項８】
前記突出部の外面には、前記挿入部の内面に接触する突起部（３１０ａ，３１１ａ，３１１２ａ）が形成されている
請求項１又は２に記載の冷媒蒸発器。
【請求項９】
前記挿入部及び前記突出部は、前記冷媒の流路が形成される部分と別の部分に設けられている
請求項１又は２に記載の冷媒蒸発器。
【手続補正２】
【補正対象書類名】明細書
【補正対象項目名】０００８
【補正方法】変更
【補正の内容】
【０００８】
上記課題を解決するために、被冷却流体と冷媒との間で熱交換を行う冷媒蒸発器（１）は、冷媒が内部を流れ、被冷却流体と冷媒との間で熱交換を行う第１熱交換部（１２）と、第１熱交換部に対向して配置されるとともに、冷媒が内部を流れ、被冷却流体と冷媒との間で熱交換を行う第２熱交換部（２２）と、第１熱交換部の下方に配置され、第１熱交換部に冷媒を分配する第１タンク（１３）と、第２熱交換部の下方に配置され、第２熱交換部を流れる冷媒を集める第２タンク（２３）と、ろう付けにより第１タンク及び第２タンクに接合され、第２タンクに集められた冷媒を第１タンクに導く第３タンク（３０）と、を備え、第１タンク及び第３タンクの接合部（１３３，３０４）の一方には、突出部（３１０〜３１２）が形成され、第１タンク及び第３タンクの接合部の他方には、突出部が挿入される挿入部（１３４〜１３６）が形成され、突出部の外面と挿入部の内面とがろう付けされており、当該ろう付け箇所が複数形成され、第１タンクと第３タンクとの間、又は第２タンクと第３タンクとの間には、排水溝（１３７，２３７，３２０，３２１）が少なくとも１箇所以上形成され、排水溝により複数のろう付け箇所が分断されている。
また、上記課題を解決するために、被冷却流体と冷媒との間で熱交換を行う冷媒蒸発器（１）は、冷媒が内部を流れ、被冷却流体と冷媒との間で熱交換を行う第１熱交換部（１２）と、第１熱交換部に対向して配置されるとともに、冷媒が内部を流れ、被冷却流体と冷媒との間で熱交換を行う第２熱交換部（２２）と、第１熱交換部の下方に配置され、第１熱交換部に冷媒を分配する第１タンク（１３）と、第２熱交換部の下方に配置され、第２熱交換部を流れる冷媒を集める第２タンク（２３）と、ろう付けにより第１タンク及び第２タンクに接合され、第２タンクに集められた冷媒を第１タンクに導く第３タンク（３０）と、を備え、第１タンク及び第３タンクの接合部（１３３，３０４）の一方には、突出部（３１０〜３１２）が形成され、第１タンク及び第３タンクの接合部の他方には、突出部が挿入される挿入部（１３４〜１３６）が形成され、挿入部及び突出部には、冷媒の流路がそれぞれ形成され、突出部には、冷媒の流路を構成する単数又は複数の貫通孔が形成され、突出部が複数形成され、複数の突出部の少なくとも１つに形成される貫通孔の個数は、他の突出部に形成される貫通孔の個数と異なっている。
さらに、上記課題を解決するために、被冷却流体と冷媒との間で熱交換を行う冷媒蒸発器（１）は、冷媒が内部を流れ、被冷却流体と冷媒との間で熱交換を行う第１熱交換部（１２）と、第１熱交換部に対向して配置されるとともに、冷媒が内部を流れ、被冷却流体と冷媒との間で熱交換を行う第２熱交換部（２２）と、第１熱交換部の下方に配置され、第１熱交換部に冷媒を分配する第１タンク（１３）と、第２熱交換部の下方に配置され、第２熱交換部を流れる冷媒を集める第２タンク（２３）と、ろう付けにより第１タンク及び第２タンクに接合され、第２タンクに集められた冷媒を第１タンクに導く第３タンク（３０）と、を備え、第１タンク及び第３タンクの接合部（１３３，３０４）の一方には、突出部（３１０〜３１２）が形成され、第１タンク及び第３タンクの接合部の他方には、突出部が挿入される挿入部（１３４〜１３６）が形成され、挿入部及び突出部には、冷媒の流路がそれぞれ形成され、突出部には、冷媒の流路を構成する単数又は複数の貫通孔が形成され、突出部が複数形成され、複数の突出部の少なくとも１つに形成される貫通孔の総断面積は、他の突出部に形成される貫通孔の総断面積と異なっている。
【手続補正３】
【補正対象書類名】明細書
【補正対象項目名】００１０
【補正方法】変更
【補正の内容】
【００１０】
あるいは、上記課題を解決するために、被冷却流体と冷媒との間で熱交換を行う冷媒蒸発器（１）は、冷媒が内部を流れ、被冷却流体と冷媒との間で熱交換を行う第１熱交換部（１２）と、第１熱交換部に対向して配置されるとともに、冷媒が内部を流れ、被冷却流体と冷媒との間で熱交換を行う第２熱交換部（２２）と、第１熱交換部の下方に配置され、第１熱交換部に冷媒を分配する第１タンク（１３）と、第２熱交換部の下方に配置され、第２熱交換部を流れる冷媒を集める第２タンク（２３）と、ろう付けにより第１タンク及び第２タンクに接合され、第２タンクに集められた冷媒を第１タンクに導く第３タンク（３０）と、を備え、第２タンク及び第３タンクの接合部（２３３，３０５）の一方には、突出部（３１３〜３１５）が形成され、第２タンク及び第３タンクの接合部の他方には、突出部が挿入される挿入部（２３４〜２３６）が形成され、突出部の外面と挿入部の内面とがろう付けされており、当該ろう付け箇所が複数形成され、第１タンクと第３タンクとの間、又は第２タンクと第３タンクとの間には、排水溝（１３７，２３７，３２０，３２１）が少なくとも１箇所以上形成され、排水溝により複数のろう付け箇所が分断されている。
また、上記課題を解決するために、被冷却流体と冷媒との間で熱交換を行う冷媒蒸発器（１）は、冷媒が内部を流れ、被冷却流体と冷媒との間で熱交換を行う第１熱交換部（１２）と、第１熱交換部に対向して配置されるとともに、冷媒が内部を流れ、被冷却流体と冷媒との間で熱交換を行う第２熱交換部（２２）と、第１熱交換部の下方に配置され、第１熱交換部に冷媒を分配する第１タンク（１３）と、第２熱交換部の下方に配置され、第２熱交換部を流れる冷媒を集める第２タンク（２３）と、ろう付けにより第１タンク及び第２タンクに接合され、第２タンクに集められた冷媒を第１タンクに導く第３タンク（３０）と、を備え、第２タンク及び第３タンクの接合部（２３３，３０５）の一方には、突出部（３１３〜３１５）が形成され、第２タンク及び第３タンクの接合部の他方には、突出部が挿入される挿入部（２３４〜２３６）が形成され、挿入部及び突出部には、冷媒の流路がそれぞれ形成され、突出部には、冷媒の流路を構成する単数又は複数の貫通孔が形成され、突出部が複数形成され、複数の突出部の少なくとも１つに形成される貫通孔の個数は、他の突出部に形成される貫通孔の個数と異なっている。
さらに、上記課題を解決するために、被冷却流体と冷媒との間で熱交換を行う冷媒蒸発器（１）は、冷媒が内部を流れ、被冷却流体と冷媒との間で熱交換を行う第１熱交換部（１２）と、第１熱交換部に対向して配置されるとともに、冷媒が内部を流れ、被冷却流体と冷媒との間で熱交換を行う第２熱交換部（２２）と、第１熱交換部の下方に配置され、第１熱交換部に冷媒を分配する第１タンク（１３）と、第２熱交換部の下方に配置され、第２熱交換部を流れる冷媒を集める第２タンク（２３）と、ろう付けにより第１タンク及び第２タンクに接合され、第２タンクに集められた冷媒を第１タンクに導く第３タンク（３０）と、を備え、第２タンク及び第３タンクの接合部（２３３，３０５）の一方には、突出部（３１３〜３１５）が形成され、第２タンク及び第３タンクの接合部の他方には、突出部が挿入される挿入部（２３４〜２３６）が形成され、挿入部及び突出部には、冷媒の流路がそれぞれ形成され、突出部には、冷媒の流路を構成する単数又は複数の貫通孔が形成され、突出部が複数形成され、複数の突出部の少なくとも１つに形成される貫通孔の総断面積は、他の突出部に形成される貫通孔の総断面積と異なっている。